(57)【要約】【課題】改良されたガイドデバイス、及び少なくとも１つの摺動ドアを有する１つの家具を提供すること。【解決手段】ガイドデバイス（６）は、１つの家具（９）の家具開口（９０）を閉鎖できる摺動ドア（９１）を保持、ガイドするように働く。ガイドデバイス（６）は、ガイド取付け具（６１）を備え、ガイド取付け具（６１）は、摺動ドア（９１）に接続可能であり、第１の関節接合部（６１３）を介してガイドレバー（６３）の第１の端部部品（６３Ａ）に接続され、ガイドレバー（６３）の第２の端部部品（６３Ｂ）は、第２の関節接合部（６２３）を介してガイドキャリッジ（６２）に接続され、ガイドキャリッジ（６２）は、少なくとも１つのガイドローラ（６２２）を保持するキャリッジ本体（６２１）を備え、少なくとも１つのガイドローラ（６２２）は、ガイド通路（６０）内にガイドされ、ガイド通路（６０）は、少なくとも一方の側で、家具開口（９０）内の湾曲部に沿った末端通路セクション（６００）に延在する。【選択図】  図５ａ
2016205128.tif 000002
【特許請求の範囲】
【請求項１】
１つの家具（９）の家具開口（９０）を閉鎖できる摺動ドア（９１）を保持、ガイドするガイドデバイス（６）であって、前記ガイドデバイス（６）は、ガイド取付け具（６１）を備え、前記ガイド取付け具（６１）は、前記摺動ドア（９１）に接続可能であり、第１の関節接合部（６１３）を介してガイドレバー（６３）の第１の端部部品（６３Ａ）に接続され、前記ガイドレバー（６３）の第２の端部部品（６３Ｂ）は、第２の関節接合部（６２３）を介してガイドキャリッジ（６２）に接続され、前記ガイドキャリッジ（６２）は、少なくとも１つのガイドローラ（６２２）を保持するキャリッジ本体（６２１）を備え、前記少なくとも１つのガイドローラ（６２２）は、ガイド通路（６０）内にガイドされ、前記ガイド通路（６０）は、少なくとも一方の側で、前記家具開口（９０）内の湾曲部に沿った末端通路セクション（６００）に延在する、ガイドデバイス（６）。
【請求項２】
前記ガイドキャリッジ（６２）の前記キャリッジ本体（６２１）は、走行方向に一列に配置された２つのガイドローラ（６２２）を保持し、
前記キャリッジ本体（６２１）が、結合ばね（６３５）によって前記ガイドレバー（６３）の前記第２の端部部品（６３Ｂ）に接続されることによって、前記ガイドキャリッジ（６２）は前記末端通路セクション（６００）を横断する際に回転し、前記結合ばね（６３５）が引っ張られ、前記ガイドレバー（６３）上に力又はトルクを及ぼし、
前記末端通路セクション（６００）の形状は、前記ガイドキャリッジ（６２）が前記末端通路セクション（６００）を横断する際に６５°〜１８０°の範囲の角度だけ回転するように選択される、請求項１に記載のガイドデバイス（６）。
【請求項３】
前記ガイドレバー（６３）は、前記ガイド取付け具（６１）が前記ガイドキャリッジ（６２）の前方で走行方向において保持され、前記ガイド通路（６０）からずれ、前記家具開口（９０）を完全に開放できるように、湾曲、Ｌ字形状又は三日月形である、請求項１又は２に記載のガイドデバイス（６）。
【請求項４】
前記ガイド通路（６０）は、ガイドレール（６８）及び前記ガイドレール（６８）に隣接するレール要素（６９０）によって形成され、前記レール要素（６９０）は、ガイド板（６９）の一部である、請求項１に記載のガイドデバイス（６）。
【請求項５】
結合ばね（６５）は、ぜんまい又は円筒形コイルばねであり、前記キャリッジ本体（６２１）に設けられた凹部（６２１０）に配置され、前記結合ばね（６５）は、第１の端部部品（６５２）で前記キャリッジ本体（６２１）内に係留し、第２の端部部品（６５３）で前記ガイドレバー（６３）内に係留される、請求項２に記載のガイドデバイス（６）。
【請求項６】
前記摺動ドア（９１）又は前記ガイド取付け具（６１）は、ドア停止部（６１１）を備え、第１のレバー停止部（６３１）は、前記ガイドキャリッジ（６２）が前記末端通路セクション（６００）から出て移動する際に前記ドア停止部（６１１）に対し回転することができる、及び／又は前記ガイドキャリッジ（６２）は、任意選択で前記キャリッジ本体（６２１）に設けられたキャリッジ停止部（６２１）を備え、第２のレバー停止部（６３２）は、前記ガイドキャリッジ（６２）が前記末端通路セクション（６００）から出て移動する際に前記キャリッジ本体（６２１）に対し回転することができる、請求項１に記載のガイドデバイス（６）。
【請求項７】
前記ガイドキャリッジ（６２）が、前記１つの家具（９）の前面に対して平行に延びる前記ガイド通路（６０）のセクション内を移動する際、前記ドア停止部（６１１）は、前記第１のレバー停止部（６３１）と密に当接する、及び／又は前記キャリッジ停止部（６２１）は、前記第２のレバー停止部（６３２）と密に当接する、請求項６に記載のガイドデバイス（６）。
【請求項８】
前記ドア停止部（６１１）及び前記第１のレバー停止部（６３１）並びに／又は前記キャリッジ停止部（６２１）及び前記第２のレバー停止部（６３２）は、弾性的に支持されるか、又は弾性要素（６３５１；６３５２）を介して互いに接続可能である、請求項６又は７に記載のガイドデバイス（６）。
【請求項９】
前記ガイドキャリッジ（６２）は、少なくとも１つの軸受ローラ（６２８）を支持し、前記軸受ローラ（６２８）は、前記ガイド通路（６０）に対して平行に延在する走路（６８８、６９８）上に設置される、請求項１に記載のガイドデバイス（６）。
【請求項１０】
前記ガイドローラ（６２２）は、前記ガイド通路（６０）内に上又は下から垂直方向に延在する第１の軸受シャフト（６２６）によって保持され、前記少なくとも１つの軸受ローラ（６２８）は、前記第１の軸受シャフト（６２６）に直交して位置合わせされた第２の軸受シャフト（６２７）によって保持される、請求項９に記載のガイドデバイス（６）。
【請求項１１】
請求項１に記載のガイドデバイス（６）のためのキャリッジ（６２）であって、
第１の軸受シャフト（６２６）によって回転可能に保持される２つのガイドローラ（６２２）を有するキャリッジ本体（６２１）、
前記第１の軸受シャフト（６２６）に対して平行に位置合わせされ、前記キャリッジ本体（６２１）内に保持される接合ボルト（６２３）、及び
前記接合ボルト（６２３）と同心状に配置され、一方の端部部品（６５２）で前記キャリッジ本体（６２１）内に係留される結合ばね（６５）、
を備えるキャリッジ（６２）。
【請求項１２】
少なくとも１つの軸受ローラ（６２８）は、前記第１の軸受シャフト（６２６）に直交して位置合わせされた第２の軸受シャフト（６２７）によって保持される、請求項１１に記載のキャリッジ（６２）。
【請求項１３】
下側及び／又は上側で、請求項１に記載のガイドデバイス（６）に接続された少なくとも１つの摺動ドア（９１）を有するワードローブである、１つの家具（９）。
【請求項１４】
前記１つの家具（９）の下側及び／又は上側に、湾曲部に沿って延在する末端通路セクション（６００）を有するガイド通路（６０）が設けられ、前記ガイド通路（６０）内に、前記ガイドキャリッジ（６２）の前記ガイドローラ（６２２）がガイドされる、請求項１３に記載の１つの家具（９）。
【請求項１５】
前記ガイドキャリッジ（６２）は、少なくとも１つの軸受ローラ（６２８）を備え、前記軸受ローラ（６２８）は、前記ガイド通路（６０）に対して平行に延在する走路（６８８、６９８）上に設置され、前記摺動ドア（９１）又は前記摺動ドア（９１）の一部の荷重を支持する、請求項１３又は１４に記載の１つの家具（９）。
【発明の詳細な説明】
【技術分野】
【０００１】
本発明は、摺動ドアのためのガイドデバイス、そのようなガイドデバイスのためのキャリッジ、及びガイドデバイスによって保持、ガイドされる少なくとも１つの摺動ドアを有する１つの家具、特にワードローブに関する。
【背景技術】
【０００２】
摺動ドアは、有利には、１つの家具、特にワードローブの閉鎖を可能にする。ワードローブを開放するには、摺動ドアは、横に移動させるので、回転ドアのようにユーザの方に向かうスペース内に回す必要はない。しかし、開放した摺動ドアは、これらを置いておくスペースをやはり必要とする。
【０００３】
米国特許出願公開第２０１４／１５０２０８Ａ１号明細書は、ガイドデバイスを有するワードローブを開示しており、このガイドデバイスにより、摺動ドアを折り畳み、ワードローブの側壁に対して平行に移動させ、摺動ドア置き場に入れることができる。しかし、ワードローブ内の置き場に必要なスペースをもはや使用することはできない。
【０００４】
米国特許第８７６３２０５Ｂ２号明細書は、キャリッジ・デバイスによってそれぞれ保持、ガイドされる複数の摺動ドアを有するワードローブを開示しており、キャリッジ・デバイスは、摺動ドアが家具開口からずれて側方に移動できるように、ガイドレールに沿って移動可能である。こうしたキャリッジ・デバイスは、接続デバイス又は取付け具を介して摺動ドアに接続されるキャリッジ及びキャリッジ・アームを備える。したがって、このワードローブの摺動ドアは、専用の置き場内に移送されるのではなく、隣接する摺動ドアの前に移動される。したがって、２つの摺動ドアを有するワードローブでは、ユーザは、一方の摺動ドアをもう一方の摺動ドアの前に移動できる。したがって、次に、開放した摺動ドアは、閉鎖された摺動ドアの前に位置し、ユーザの視界にさらされる。したがって、この種のワードローブの場合、摺動ドアは、移動の際に衝突を防止し、摺動ドアが端部位置に達したときに有利な外観をもたらすために、正確に位置合わせし、ガイドされなければならない。
【０００５】
家具開口に対して開放し移動させる際、家具開口からずれる比較的複雑な摺動ドアのガイドのために、摺動ドアを閉鎖し摺動ドアの末端範囲外側のワードローブに対し平行に変位させる場合、ガイドデバイスは、いくつかの機能を満たす必要があるが、こうした機能は、公知のデバイスによって満足に提供されていない。
【０００６】
摺動ドアの衝突を防止する正確なガイド及び所望の位置合わせ以外に、特に摺動ドアの平行ガイドの範囲内における振動及び騒音を防止できるように摺動ドアをより安定して保持、ガイドできることが特に望ましいと思われる。更に、閉鎖手順の後、摺動ドアの開放間隙及び残りの遊びを防ぐように摺動ドアが確実に家具開口を閉鎖していることが望ましいと思われる。更に、公知のデバイスは、摺動ドアが関連する家具開口から完全に離れて変位できず、そのため家具開口への接近が妨げられるという欠点を呈することが多い。摺動ドアの変位が制限されるために、家具開口の最大サイズに達することができないことも多い。
【先行技術文献】
【特許文献】
【０００７】
【特許文献１】米国特許出願公開第２０１４／１５０２０８Ａ１号明細書
【特許文献２】米国特許第８７６３２０５Ｂ２号明細書
【発明の概要】
【課題を解決するための手段】
【０００８】
したがって、本発明は、改良されたガイドデバイス、及び少なくとも１つの摺動ドアを有する１つの家具を提供する目的に基づくものであり、この摺動ドアは、有利には、そのようなガイドデバイスにより、開放位置と閉鎖位置との間を変位可能である。更に、そのようなガイドデバイスのための有利なキャリッジを創出するものとする。
【０００９】
詳細には、ガイドデバイスを創出するものとし、このガイドデバイスを用いると、ガイドデバイスにより保持する摺動ドア又は全体が平坦な分離要素は、少なくとも１つの湾曲部を備える移送軌道に沿って正確に移動できる。
【００１０】
具体的には、ガイドデバイスは、ワードローブ・ドアの変位範囲を増大可能にするものとし、それにより、関連する家具開口を完全に開放し、最大サイズの家具開口をもたらす。
【００１１】
ガイドデバイスは、特に遊びがなく摺動ドアを保持し、騒音をたてずに摺動ドアを変位可能にするものとする。更に、摺動ドアは、対応する家具開口が確実に閉鎖されるように、ガイドデバイスにより変位可能にするものとする。
【００１２】
更に、ガイドデバイスは、複雑な構造を有さず、より多くのスペースを必要としないものとし、大幅な制限を行わないでユーザがワードローブの内部スペースを利用可能であるようにする。
【００１３】
更に、ガイドデバイスは、摺動ドアの荷重を完全に支持可能であるか又は部分的に支持可能であるものとする。
【００１４】
したがって、本発明のガイドデバイスを備える１つの家具、特にワードローブを創出することが可能であり、このガイドデバイスは、有利に寸法を決定し、動作し、使用できるものとする。
【００１５】
この課題は、請求項１の特徴を含むガイドデバイス、請求項１１の特徴を含むガイドキャリッジ、及び請求項１３の特徴を含む、そのような少なくとも１つのガイドデバイスを有する１つの家具により解決される。本発明の好ましい実施形態は、更なる請求項で規定される。
【００１６】
ガイドデバイスは、１つの家具の家具開口を閉鎖できる摺動ドアを保持、ガイドするように作動する。ガイドデバイスは、ガイド取付け具を備え、ガイド取付け具は、摺動ドアに接続可能であり、第１の関節接合部を介してガイドレバーの第１の端部部品に接続され、ガイドレバーの第２の端部部品は、第２の関節接合部を介してガイドキャリッジに接続され、ガイドキャリッジは、少なくとも１つのガイドローラを保持するキャリッジ本体を備え、少なくとも１つのガイドローラは、ガイド通路内にガイドされ、ガイド通路は、少なくとも一方の側で、家具開口内の湾曲部に沿った末端通路セクションに延在する。好ましい実施形態では、摺動ドアを保持するガイドデバイスはそれぞれ、ガイド通路の両端に設けられる。
【００１７】
摺動ドアを家具開口に対して変位させる間、ガイドキャリッジは、駆動されてワードローブの内部スペースに入り、ガイドレバーが回転する。したがって、ガイドキャリッジが末端通路セクション内で変位する間、摺動ドアは、側方に、同時に家具開口に接して、端部位置内で更に前方にガイドされる。そのため、ガイド取付け具は、ガイドキャリッジを越えて、家具開口に接してガイドされる。したがって、ガイド取付け具は、摺動ドアの閉鎖方向ではガイドキャリッジよりも遠くに移動される。ガイドキャリッジが末端通路セクションから出て移動される際、ガイドレバーは逆に回り、その結果、ガイド取付け具は、ガイドキャリッジを越えてもう一方の方向にガイドされ、ガイドキャリッジは、ガイドレバーによって引かれて、追従する。したがって、摺動ドアの開放方向においても、ガイド取付け具は、ガイドキャリッジよりも長い経路を横断する。
【００１８】
ガイドキャリッジが湾曲部に沿って駆動され、好ましく湾曲したガイドレバーが回転するために、ガイドデバイスは、ガイド取付け具の変位を可能にし、したがって、ガイドキャリッジの変位と比較するとより広い領域にわたる、ワードローブの前面に沿った摺動ドアの変位を可能にする。したがって、家具開口は、最大サイズで寸法決定できる。更に、各摺動ドアは、関連する家具開口から完全にずれるため、ユーザは、ワードローブの内部スペースへの接近を妨害されない。したがって、湾曲ガイドレバーにより、ガイド取付け具は、摺動ドアの開放工程の間、ガイドキャリッジの前方にガイドでき、家具開口を完全に開放できる。
【００１９】
好ましい実施形態では、ガイドキャリッジのキャリッジ本体は、走行方向に並べて配置された２つのガイドローラを保持し、更に、結合ばねによってガイドレバーの第２の端部部品と接続される。
【００２０】
結合ばねは、好ましくは、ぜんまい又は円筒形コイルばねであり、キャリッジ本体内部に設けられた凹部に保持され、第１の端部部品でキャリッジ本体内に係留され、第２の端部部品でガイドレバー内に係留される。好ましくは、結合ばねは、キャリッジ本体に設けられた円筒形凹部内に、接合ボルトと同軸に位置合わせして配置され、接合ボルトは、好ましくは、キャリッジ本体内で回転可能に保持される。このようにして、結合ばねは、ほとんどスペースを必要とせずにキャリッジ本体内に統合でき、キャリッジ本体と結合できる。したがって、キャリッジ、即ち接合ボルト及び結合ばねは、ガイドレバーと容易に結合できる。
【００２１】
ガイドキャリッジは、末端通路セクションを横断する際に回転し、結合ばねは、それに応じて引っ張られ、力又はトルクがガイドレバーに加えられる。このトルクによって、ガイド取付け具に接続されたガイドレバーの第２の端部部品は、ワードローブに対して回転し、摺動ドアは、家具開口のフレームに対して強制的に引っ張られ、したがって、密に閉鎖される。
【００２２】
好ましくは、ガイドレバーは、ガイドレバーの第１の端部部品で湾曲し、第１の端部部品は、摺動ドアの開放方向に向かって延在し、即ちガイド通路が末端通路セクションに延在するのと同じ方向に延在する。ガイドレバーは、例えばＬ字形又は三日月形である。キャリッジの端部位置において第１の摺動ドアが完全に開放された位置では、ガイドレバーは、その湾曲部のために、隣接する第２の摺動ドアの縁部を取り囲むことができ、第１の摺動ドアを第２の摺動ドアの前で保持できる。
【００２３】
ガイド通路の末端通路セクションの形状は、ガイドキャリッジが末端通路セクションを横断する間に好ましくは６５°〜１８０°の範囲内である角度だけ回転するように好ましく選択される。例えば、末端通路セクションは、四分円の１つ又は２つ分に少なくともほぼ沿って延在する。湾曲部は、連続的に湾曲半径が減少するらせん形状を呈することもできる。湾曲半径は、線形又は非線形、任意選択で対数的に末端通路セクションに沿って減少させることができる。湾曲半径は、第１の湾曲領域で線形に減少し、第２の湾曲領域で非線形に減少させることもできる。その形状は、ガイドキャリッジの所望の回転及びしたがって結合ばねの所望の張力がもたらされるように選択される。
【００２４】
ガイド通路は、末端通路セクション内で状況に応じて湾曲する単体ガイドレールから構成できる。しかし、このことは、ガイド通路の断面のサイズを一定に維持するものとする場合、ガイドレールを曲げるときに相当な労力を必要とする。
【００２５】
好ましくは、好ましくはガイド板内に埋め込んだ湾曲レール要素に隣接する真っすぐなガイドレールを使用する。ガイド通路の末端通路セクションは、有利にはガイド板内に打出し加工することができる。代替的に、ガイド板は、金属又はプラスチックから成形される。したがって、真っすぐなガイドレール及びガイド板を湾曲レール要素と共に使用することによって、ガイド通路は、有利には、長さ全体にわたり一定の通路断面をもたらすことができる。
【００２６】
好ましい実施形態では、摺動ドア又はガイド取付け具は、ドア停止部を備え、ガイドレバーの第１の端部部品に設けられた第１のレバー停止部は、ガイドキャリッジが末端通路セクションから出て駆動する際にドア停止部に対し回転する。更に好ましい実施形態では、ガイドキャリッジは、キャリッジ停止部を備え、ガイドレバーの第２の端部部品に設けられた第２のレバー停止部は、ガイドキャリッジが末端通路セクションから出て駆動する際にキャリッジ停止部に対し回転する。キャリッジ停止部は、キャリッジ本体自体により単純に設けることができる。好ましくは、両方の実施形態では、ドア停止部、キャリッジ停止部、並びに第１のレバー停止部及び第２のレバー停止部は、組み合わせて設けられ、それにより、ワードローブの前面に対して平行に移動する間、一方では摺動ドア又はガイド取付け具に対して、もう一方ではキャリッジに対してガイドレバーの回転範囲を制限するようにする。
【００２７】
一方のドア停止部及び第１のレバー停止部並びに／又はもう一方のキャリッジ停止部及び第２のレバー停止部は、好ましくは、ガイドキャリッジがワードローブの前面に対して平行に延びるガイド通路の一部に進入した後、又はガイドキャリッジが真っすぐなガイドレールに進入した後、ドア停止部が好ましくは遊びがなく第１のレバー停止部と当接し、キャリッジ停止部が好ましくは遊びがなく第２のレバー停止部と当接するように設けられる。したがって、ガイドレバーの一方向への回転は、ドア停止部によって制限され、ガイドレバーのもう一方向への回転は、キャリッジ停止部によって制限される。したがって、ガイドレバーのこの位置では、摺動ドアは、走行方向に直交して変位せず、対応する振動もない状態でワードローブの前面に対して平行にガイドされる。
【００２８】
好ましい実施形態では、ドア停止部及び第１のレバー停止部並びに／又はキャリッジ停止部及び第２のレバー停止部はそれぞれ、弾性的に保持されるか、弾性的に製造されるか、または弾性要素を介して接触される。このようにして、前記端部停止部が接触する際の騒音を防止する。更に、より大きな製造公差が生じた場合でも、摺動ドアが遊びなくガイドされることが依然として保証される。
【００２９】
更に好ましい実施形態では、ガイドキャリッジは、少なくとも１つの軸受ローラを備え、少なくとも１つの軸受ローラは、ガイド通路に対して平行に延在する走路上に設置され、好ましくはガイドレール及び／又はガイド板の単体部品である。このガイドキャリッジにより、摺動ドア又は摺動ドアの一部の荷重を支持し、ガイド通路、即ちガイド通路及び支持通路又は走路に沿って摺動ドアをガイドすることが可能になる。
【００３０】
しかし、ガイドキャリッジが主に摺動ドアのガイドのために働き、この目的で例えばガイド通路の下から係合される場合、軸受ローラは、ガイドローラが常にガイド通路内に係合されたままであることを保証する。これにより、ガイドローラに必要な最小の高さを有する通路壁を有するガイド通路の使用が可能になり、したがってスペースをほとんど必要としない。
【００３１】
ガイドローラは、第１の軸受シャフトによって保持され、第１の軸受シャフトは、好ましくは、上又は下からガイド通路内に少なくともほぼ垂直に位置合わせされて延在する。しかし、少なくとも１つの軸受ローラは、少なくともほぼ水平に位置合わせされた第２の軸受シャフトによって保持される。
【００３２】
少なくとも２つのガイドローラを有する本発明のガイドキャリッジ、又は少なくとも２つのガイドローラ及び少なくとも１つの軸受ローラを有する本発明のガイドキャリッジは、いくつかの機能を満たす。結合ばねを備えると、ガイド機能、又はガイド機能及び支持機能の他に、閉鎖機能が更に実装される。閉鎖機能を有すると、閉鎖力を摺動ドアに自動的に加えることができ、この閉鎖力を用いて、摺動ドアは、所望の方向、特にワードローブの前側に直交する方向に移動できる。
【００３３】
本発明のガイドデバイス及び本発明のガイドキャリッジを使用すると、摺動ドアを有するワードローブは、有利に改良できる。ガイドデバイスによって保持される摺動ドアは、正確に安定してガイドされ、各位置、特に末端位置で安定して保持される。摺動ドアは、ワードローブ開口から完全に離すことができる。閉鎖機能は、最大サイズを有するワードローブ開口を確実に閉鎖できるように更に改良される。
【００３４】
ガイドデバイスは、ワードローブの上側又は下側に配置できる。更に、ガイドデバイスは、摺動ドアの上側又は下側のそれぞれに設けることができる。ガイドデバイスをワードローブの上側又は下側のみに設ける場合、補助用ガイド・支持デバイスをワードローブの下側又は上側に設ける。補助用ガイド・支持デバイスが完全に支持機能を満たす場合、本発明のガイドデバイスは、ガイド機能のみを提供できる。前述のように、この場合も少なくとも１つの軸受ローラの使用が有益である。
【００３５】
本発明の１つの家具は、少なくとも１つの摺動ドアを備え、少なくとも１つの摺動ドアは、ずらして、隣接する摺動ドア又は固定パネル等の隣接する分離要素の前に側方に移動できる。しかし、２つの摺動ドアを有する対称的な機構が好ましい。
【００３６】
図面を参照しながら本発明を以下で説明する。
【図面の簡単な説明】
【００３７】
【図１ａ】２つの摺動ドア９１、９２を有する本発明のワードローブ９の図であり、２つの摺動ドア９１、９２は、本発明のガイドデバイス６によって保持され、関連する家具開口を閉鎖するように移動され、家具開口からずらして側方に移動できる。
【図１ｂ】関連するガイドデバイス６により、第１の摺動ドア９１を第２の摺動ドア９２の前の位置に移動した後の、図１ａのワードローブ９の図である。
【図２ａ】図１ａの構成における第１の摺動ドア９１及び側壁９４を取り除いた後の、カバー板９３の中央を通るワードローブ９の切断図である。
【図２ｂ】図１ｂの構成における第１の摺動ドア９１を取り除いた後の、カバー板９３の中央を通るワードローブ９の切断図である。
【図３ａ】図２ａの構成におけるガイドデバイス６の図であり、ガイドデバイス６は、ガイドレール６８に隣接するレール要素６９０を有するガイド板６９を備え、ガイドレール６８の中で、ガイドキャリッジ６２は、変位可能であり、第１の摺動ドア９１から解放されているガイド取付け具６１にガイドレバー６３を介して枢動接続される。
【図３ｂ】図３ａのガイドデバイスから相互の位置を変更せずに取り外されている、ガイドキャリッジ６２、ガイドレバー６３及びガイド取付け具６１の図である。
【図３ｃ】図３ａのガイドデバイス６の底面図である。
【図３ｄ】図３ｃのガイドデバイスから相互の位置を変更せずに取り外されている、ガイドキャリッジ６２、ガイドレバー６３及びガイド取付け具６１の図である。
【図４】結合ばね６５を有する、図３ｂのガイドキャリッジ６２、ガイドレバー６３及びガイド取付け具６１の分解図であり、結合ばね６５は、ガイドキャリッジ６２から取り外され、一方の側では、ガイドキャリッジ６２のキャリッジ本体６２１に接続可能であり、もう一方の側ではガイドレバー６３に接続可能である。
【図５ａ】図１ａのワードローブ９の構成におけるガイドデバイス６の底面図である。
【図５ｂ】摺動ドア９１開放工程の間、及びガイドキャリッジ６２がガイド板６９を出てガイドレール６８に入る直前の、図５ａのガイドデバイス６の図である。
【図５ｃ】ガイドキャリッジ６２がガイドレール６８に入った後の図５ｂのガイドデバイス６の図である。
【図６】ガイドキャリッジ６２を有する好ましい実施形態におけるガイドデバイス６の図であり、ガイドキャリッジ６２は、ガイドレール６８内にガイドされる２つのガイドローラ６２２、ガイドレール６８の水平位置合せ走路６８８、６９８に沿って転がる１つの支持輪６２８、及びガイド板６９を備える。
【図７ａ】図６のガイドデバイス６から取り外したガイドキャリッジ６２の図である。
【図７ｂ】線Ａ−Ａに沿った図７ａのガイドキャリッジ６２の切断図である。
【発明を実施するための形態】
【００３８】
図１ａは、カバー板９３及び側板９４並びに２つの摺動ドア９１、９２を有する本発明のワードローブ９を示し、２つの摺動ドア９１、９２はそれぞれ、本発明のガイドデバイス６によって保持され、それぞれ家具開口９０を閉鎖するように働く（図１ｂを参照）。力ベクトルＦ１は、第１の摺動ドア９１がガイドデバイス６によって家具開口９０のフレームに対して引っ張られることを示す。第２の摺動ドア９２に接続されるガイドデバイス６の機能は、同一であり、したがって第１の摺動ドア９１に接続されるガイドデバイス６のみを説明する。
【００３９】
図１ｂは、第１の摺動ドア９１をずらすか又は関連する家具開口９０から前方に移動させ、関連するガイドデバイス６によって、第２の摺動ドア９２前面の位置に対して平行に横脇に変位させた後の、図１ａのワードローブ９を示す。ガイドデバイス６は、ガイドキャリッジ６２を備え、ガイドキャリッジ６２は、ガイドレール６８に沿って中間壁板９５までガイドされ、湾曲ガイドレバー６３を介して第１の摺動ドア９１に接続される。第１の摺動ドア９１は、ワードローブ９の前面に対して平行に移動する際、ガイドデバイス６によって保持され、それにより、第１の摺動ドア９１は、走行方向に直交して変位することがない。摺動ドア９１を一方の方向又はもう一方の方向で走行方向に直交して変位させようとすると、対応する反力Ｆ２又はＦ３がガイドデバイス６によって加えられる。
【００４０】
図１ｂは、湾曲ガイドレバー６３によって保持される第１の摺動ドア９１が第２の摺動ドア９２の前面の位置に対して完全に変位しており、この位置で第２の摺動ドア９２に同軸に位置合わせされているのを更に示す。したがって、最大サイズを有する家具開口９０は、完全に開放されている。湾曲ガイドレバー６３は、第２の摺動ドア９２を取り囲み、したがって関連する家具開口９０の範囲の外側で第１の摺動ドア９１を保持できる。
【００４１】
図２ａは、図１ａの構成における第１の摺動ドア９１及び側壁９４を取り外した後の、カバー板９３の中央を通る、ガイドデバイス６を有するワードローブ９の切断図を示す。ガイドデバイス６は、ガイド板６９に隣接する真っすぐなガイドレール６８を備え、ガイド板６９の中でキャリッジ６２が駆動される。キャリッジ６２は、湾曲ガイドレバー６３の第１の端部部品に接続され、湾曲ガイドレバー６３の第２の端部部品は、第１の摺動ドア９１から解放されているガイド取付け具６１に接続される。ワードローブ９の下側には、補助用ガイド・保持デバイス１が設けられ、補助用ガイド・保持デバイス１は、補助用キャリッジ１１、及び補助用キャリッジ１１に接続した補助用取付け具１０を備える。補助用キャリッジ１１は、補助用取付け具１０が摺動ドア９１を変位させる際にガイド取付け具６１に対し平行に移動するように、湾曲軌道に沿って変位可能である。補助用ガイド・保持デバイス１は、摺動ドア９１を完全に支持することもでき、したがって本実施形態におけるガイドデバイス６は、摺動ドア９１の重力を受けない。
【００４２】
図２ｂは、図１ｂの構成における第１の摺動ドア９１を取り除いた後の、カバー板９３の中央を通るワードローブ９の切断図を示す。ガイド取付け具６１及び補助用取付け具１０は、同一の湾曲ｋに沿って互いに平行に移動している。ガイドキャリッジ６２は、その末端位置では、中間壁９５に近接する家具開口９０内にあり、それによりガイド取付け具６１は、ガイドレバー６３によって第２の摺動ドア９２の前に保持される。
【００４３】
図３ａは、ガイド板６９を有する図２ａの構成におけるガイドデバイス６を示し、ガイド板６９は、ガイドレール６８に隣接するレール要素６９０を備える。ガイドレール６８及びレール要素６９０は、ガイド通路６０を形成し（図３ｃを参照）、ガイド通路６０の中に、ガイドキャリッジ６２が変位可能に保持される。ガイドキャリッジ６２は、第１の摺動ドア９１から解放されているガイド取付け具６１に、ほぼＬ字形のガイドレバー６３を介して枢動接続される。第１のレバー接合部、即ち第１の接合ボルト６１３によって、ガイドレバー６３の第１の端部部品６３Ａは、ガイド取付け具６１に枢動接続される。ガイド板６９は、組付け孔６９７を備え、組付け孔６９７を通じて組付けねじ６９９をカバー板９３に挿入できる。
【００４４】
図３ｂは、図３ａのガイドデバイスから相互の位置を変更せずに取り外してある、ガイドキャリッジ６２、ガイドレバー６３及びガイド取付け具６１を示す。ガイドキャリッジ６２は、垂直に位置合わせされた２つの軸受シャフト６２６を有するキャリッジ本体６２１を備え、軸受シャフト６２６は、ガイドローラ６２２を回転可能に保持する。キャリッジ本体６２１は、第２の枢動接合部、即ち第２の接合ボルト６２３によってガイドレバー６３の第２の端部部品６３Ｂに枢動接続される。したがって、ガイド取付け具６１及びガイドキャリッジ６２は、並行枢動軸周りに端部停止部までほぼ平面に回転可能である。
【００４５】
図３ｂは、ガイドキャリッジ６２、即ちキャリッジ本体６２１によって形成されるキャリッジ停止部が、第２のレバー停止部６３２に対し回転することができ、この第２のレバー停止部６３２は、ガイドレバー６３の第２の端部部品６３Ｂに設けられた角度要素によって形成されることを示す。図３ｄは、ガイドレバー６３の第１の端部部品６３Ａに設けられた第１のレバー停止部６３１がドア停止部６１１に対し回ることができ、このドア停止部６１１は、ガイド取付け具６１に角度要素として設けられることを示す。概略的に示すのは、弾性要素６３５１、６３５２であり、これらは、任意選択でドア停止部６１１と第１のレバー停止部６３１との間、及びキャリッジ停止部６２１と第２のレバー停止部６３２との間に挿入可能である。板ばね又は弾性プラスチック又は天然ゴム等の弾性要素６３５１、６３５２により、ドア停止部６１１又はキャリッジ停止部６２１それぞれに対する第１のレバー停止部６３１及び第２のレバー停止部６３２の衝撃を機械的に抑え、防音し、これらの要素を遊びなく保持可能にする。
【００４６】
図３ｃは、ガイドレール６８の中及びガイド板６９内に設けられたレール要素６９０の中を見せた状態で、図３ａのガイドデバイス６を下方から示しており、ガイドレール６８及びレール要素６９０は、ガイド通路６０を形成する。ガイド通路６０は、ガイドレール６８及びガイド板６９のレール要素６９０に沿って延在し、レール要素６９０は、最初、拡張した９０°湾曲部に沿って延在し、この湾曲部の端部に、約９０°の更なる小さな湾曲部が隣接する。この湾曲部の行程は、ガイド通路６０の末端通路セクション６００を形成する。ガイドキャリッジ６２は、この末端通路セクション６００に沿って駆動されて家具開口９０に入り、これにより約１３５°回っている。結合ばね６５によってガイドレバー６３に接続される（図４を参照）ガイドキャリッジ６２が回転することにより、摺動ドア９１が家具開口９０のフレームにしっかりと押圧されるまでガイドレバー６３が更に向きを変えるような力又はトルクが、ガイドレバー６３に加えられる。
【００４７】
図３ｄは、図３ｂのガイドキャリッジ６２、ガイドレバー６３及びガイド取付け具６１を下方から示す。
【００４８】
図４は、図３ｂのガイドキャリッジ６２、ガイドレバー６３及びガイド取付け具６１を分解図で示す。個別に示すガイドレバー６３は、ほぼＬ字形又は三日月形であり、第１の端部部品６３Ａに、第１のレバー停止部６３１、及び第１の接合ボルト６１３を挿入可能である第１の接合開口６３０１を備え、第１の接合ボルト６１３は、ガイド取付け具６１の開口６１０にガイドできる。ガイド取付け具６１は、取付け板６１７を形成する第１のブラケットを有する角度形状部を備え、取付け板６１７は、組付け開口６１７１を備え、摺動ドア９１に接続可能である。取付け板６１７の第２のブラケットは、２つの開口６１０を備え、そのうちの１つの中に接合ボルト６１３を選択的に挿入できる。第１の摺動ドア９１のガイド取付け具６１には、接合ボルト６１３が右側開口６１０に挿入され、第２の摺動ドア９２のガイド取付け具６１には、接合ボルトが左側開口６１０に挿入される。したがって、上記ガイドデバイス６は、ガイドデバイス６が摺動ドア９１、９２のそれぞれに対しワードローブ９の一方の側又はもう一方の側に組み付けることができるように、組み付けられる。
【００４９】
ガイドレバー６３は、第２の端部部品６３Ｂで、第２のレバー停止部６３２及び第２の接合開口６３０２を備え、第２の接合開口６３０２の中に、第２の接合ボルト６２３を挿入可能であり、第２の接合ボルト６２３は、ガイドキャリッジ６２のキャリッジ本体６２１内の軸受シリンダ６２１１に保持される。キャリッジ本体６２１は、軸受シリンダ６２１１と同心状に、環状受入れ開口６２１０を備え、受入れ開口６２１０の中に、結合ばね６５が挿入可能であり、結合ばね６５は、２つの端部部品６５１及び６５２を有するコイル・ユニット６５１を備える。ばね６５２の第１の端部部品は、キャリッジ本体６１０に設けられた結合開口６２１５に挿入可能である（図７ｂを参照）。ばね６５３の第２の端部部品は、ガイドレバー６３の第２の端部部品６３Ｂに設けられたばね開口６３０５に挿入可能である。したがって、ガイドキャリッジ６２は、一方で第２の接合ボルト６２３を介して、他方で結合ばね６５を介してガイドレバー６３に接続される。ガイドキャリッジ６２が（右側に）回ることにより、結合ばね６５が引っ張られ、トルクがガイドレバー６３に加えられる。
【００５０】
図５ａは、図１ａのワードローブ９の構成におけるガイドデバイス６を下方から示し、摺動ドア９１は、図３ａ〜図３ｄに示すガイドキャリッジ６２の末端位置でガイド取付け具６１に接続されている。ガイドレバー６３は、ガイドキャリッジ６２と共に駆動され家具開口９０に入って反時計回りに回転し、それによってガイド取付け具６１は、ワードローブ９の右側に向かってガイドされている。ガイドキャリッジ６２がガイド通路６０の末端通路セクション６００を横断しながら回転することによって、結合ばね６５が引っ張られ、したがって対応するトルクＭ１がガイドレバー６３に加えられる。ガイドレバー６３は、対応する力Ｆ１をガイド取付け具６１に伝達し、この力Ｆ１により摺動ドア９１は、ワードローブ９に対し直交して引っ張られる。
【００５１】
図５ａでは、距離ｄ１を示し、ガイド取付け具６１は、ガイドキャリッジ６２を越えた距離ｄ１だけ右側に移動している。
【００５２】
図５ｂは、ガイドキャリッジ６２がガイド板６９を出てガイドレール６８に入る直前の、摺動ドア９１開放工程の間の図５ａのガイドデバイス６を示す。摺動ドア９１は、家具開口９０からずれ、ガイド取付け具６１は、ガイドキャリッジ６２を越えて左に移動している。
【００５３】
図５ｃは、ガイドキャリッジ６２がガイドレール６８（部分的にのみ図示する）に進入し、中間壁９５で末端停止部まで変位した後の、図５ｂのガイドデバイス６を示す。第１の摺動ドア９１は、関連する家具開口９０から完全に離れており、第２の摺動ドア９２の前の位置に変位している。湾曲ガイドレバー６３によって、ガイド取付け具６１は、距離ｄ２だけガイドキャリッジ６２の前方に保持される。したがって、第１の摺動ドア９１の変位により、ガイド取付け具６１は、更なる距離ｄ＝ｄ１＋ｄ２だけガイドキャリッジ６２と比較してガイドレール６８に対して平行に横断する。
【００５４】
ガイドキャリッジ６２は、ガイドレール６８に進入した後、ガイドレール６８の長手方向軸ｘに平行に位置合わせされる。第２のレバー停止部６３２は、キャリッジ停止部又はキャリッジ本体６２１と当接するので、矢印により示す方向Ｒ２へと更に左に回転することはない。第１のレバー停止部６３１は、同時に、ドア停止部６１１と当接するので、矢印Ｒ１により示す右の反対方向へと更に回転することはない。したがって、ガイドレバー６３は、方向Ｒ１及びＲ２の両方で、ドア停止部６１１及びキャリッジ停止部６２１によってトルクに耐えて保持される。摺動ドア９１は、ガイドレール６８の長手方向軸ｘに平行に延在する変位軸ｙに沿って軸方向に変位できるだけである。変位軸ｙに直交する変位及び対応する振動音が防止される。
【００５５】
図６は、ガイドレール６８の長手方向軸ｘにほぼ沿って見た、好ましい実施形態におけるガイドデバイス６を下方から示す。本実施形態では、ガイドキャリッジ６２は、支持輪６２８を備え、支持輪６２８は、水平に位置合わせされた走路６８８、６９８上に設置され、走路６８８、６９８は、ガイドレール６８及びガイド板６９に沿ってガイド通路６０に対して平行に延在する。キャリッジ本体６２１は、更なる保持部材６２１８を備え、更なる保持部材６２１８は、第２の軸受シャフト６２７を保持し、第２の軸受シャフト６２７により支持輪６２８を回転可能に保持する（図７ａも参照）。支持輪６２８によって、ガイドキャリッジ６２は、常に同じ高さに保持され、したがって、ガイドローラ６２２のガイド通路６０内への安定した係合が保証される。したがって、小さな壁高さを呈するガイド通路６０又はガイドレール６８及びレール要素６９０の使用が可能である。更に、ガイドキャリッジ６２は、摺動ドア９１の荷重又は荷重の一部を支持できる。
【００５６】
図６は、本実施形態では、第２のレバー停止部６３２が単体部品のガイドレバー６３ではないことを更に示す。そうではなく、円筒形レバー停止部６３２がリベットによってガイドレバー６３に接続される。円筒形レバー停止部６３２は、好ましくは、遊びのない接続が得られ、ガイドデバイス６を動作する際の騒音を防止するような弾性材料から製造される。したがって、ドア停止部６１１並びに第１のレバー停止部６３１及び第２のレバー停止部６３２は、単体部品のガイドレバー６３であっても、個別のものであってもよい。
【００５７】
図７ａは、図６のガイドデバイス６から取り外してあるガイドキャリッジ６２を示し、ガイドキャリッジ６２は、２つのガイドローラ６２２及び１つの軸受ローラ６２８を備え、軸受ローラ６２８は、第１の軸受シャフト６２６、第２の軸受シャフト６２７によって保持される。
【００５８】
図７ｂは、結合ばね６５のために設けられた受入れ開口６２１０及び結合開口６２１５を通る、線Ａ−Ａに沿った図７ａのガイドキャリッジ６２の切断図を示し、結合開口６２１５の中に、ばね６５２の第１の端部部品が係留される。ばね６５３の第２の端部部品及び第２の接合ボルト６２３は受入れ開口６２１０から外に延在する。
【００５９】
ガイドデバイス６は、個別のデバイス部品、特にキャリッジ停止部６２１、ドア停止部６１１、第１のレバー停止部６３１及び／又は第２のレバー停止部６３２を調節できるように更に展開でき、それにより、ガイド取付け具６１をガイドレバー６３に対し回転することができる範囲、及びガイドキャリッジ６２をガイドレバー６３に対し回転することができる範囲を調節できる。支持輪６２８を保持する軸受シャフト６２７の高さを変位できることも実現できる。例えば、軸受シャフト６２７は、保持部材６２１８に沿って移動できるスレッジ内に設置できる。
【符号の説明】
【００６０】
１  補助用ガイドデバイス
６  ガイドデバイス
９  １つの家具、特にワードローブ
１０  補助用取付け具
１１  補助用キャリッジ
６０  ガイド通路
６１  ガイド取付け具
６２  ガイドキャリッジ
６３  ガイドレバー
６３Ａ  ガイドレバー６３の第１の端部部品
６３Ｂ  ガイドレバー６３の第２の端部部品
６５  結合ばね
６９  ガイド板
６８  ガイドレール
９０  家具開口
９１  摺動ドア
９２  摺動ドア
９３  カバー板
９４  側壁
９５  中間壁
６００  ガイド通路の末端通路セクション
６１０  第１の接合ボルト６１３受入れ開口
６１１  ドア停止部
６１３  第１のレバー接合部
６１３  第１の接合ボルト
６１７  取付け板
６２２  ガイドローラ
６２３  第２のレバー接合部
６２３  第２の接合ボルト
６２６  第１の軸受シャフト
６２７  第２の軸受シャフト
６２８  軸受ローラ
６２１  キャリッジ本体
６２１  キャリッジ停止部
６３１  第１のレバー停止部
６３２  第２のレバー停止部
６５１  コイル・ユニット
６５２  ばねの第１の端部部品
６５３  ばねの第２の端部部品
６８８  ガイドレール６８の走路
６８９  ガイド通路
６９０  ガイド板６９のレール要素
６９７  ガイド板６９に設けられた組付け孔
６９８  ガイド板６９の走路
６９９  組付けねじ
６１７１  取付け板６１７の組付け開口
６２１０  受入れ開口
６２１０  凹部
６２１１  軸受シリンダ
６２１５  結合開口
６２１８  保持部材
６３０１  第１の接合開口
６３０２  第２の接合開口
６３０５  ばね開口
ｋ  移送路
【図１ａ】
2016205128.tif 000003
【図１ｂ】
2016205128.tif 000004
【図２ａ】
2016205128.tif 000005
【図２ｂ】
2016205128.tif 000006
【図３ａ】
2016205128.tif 000007
【図３ｂ】
2016205128.tif 000008
【図３ｃ】
2016205128.tif 000009
【図３ｄ】
2016205128.tif 000010
【図４】
2016205128.tif 000011
【図５ａ】
2016205128.tif 000012
【図５ｂ】
2016205128.tif 000013
【図５ｃ】
2016205128.tif 000014
【図６】
2016205128.tif 000015
【図７ａ】
2016205128.tif 000016
【図７ｂ】
2016205128.tif 000017